(57)【要約】【課題】薄型の置敷き畳にも対応が可能で、しかも、組み立てや解体を簡単に行うことができる置敷き用枠部材を提供する。【解決手段】雄側連結部材取付用凹所２０に取り付けられた薄肉の取付部１６ａおよび取付部１６ａから内周辺１４ｂの外方に向けて突出する薄板状の係止片１６ｂを有し、係止片１６ｂの先端に段状凹部２６が形成されている雄側連結部材１６と、雌側連結部材取付用凹所２２に取り付けられ、連結側短辺１４ｄ側に開口する挿入溝２８が形成され、その上面には、雄側連結部材１６の係止片１６ｂが挿入溝２８に挿入されたときに段状凹部２６に嵌り込んで係合する弾性係合片３２が形成されており、その底面には、段状凹部２６と弾性係合片３２との係合状態を解除するロック解除片３０が形成されている雌側連結部材１８とを備えることを特徴とする。【選択図】図１
2018025009.tif 000002
【特許請求の範囲】
【請求項１】
４本の枠構成材同士を接合することにより矩形枠状に形成され、床面に敷かれた複数枚の置敷き畳の周囲を囲繞する置敷き畳用枠部材であって、
前記各枠構成材１２は、
その上面が、前記置敷き畳と隣接する内周辺側から、対向する外周辺に向かうにしたがって下り傾斜するようなテーパ状に形成されており、
底面には、その長手方向一方端部において、前記内周辺側に開口する雄側連結部材取付用凹所が形成されており、その長手方向他方端部において前記内周辺と直交する連結側短辺側に開口する雌側連結部材取付用凹所が形成されている長尺の枠構成材本体と、
前記雄側連結部材取付用凹所に取り付けられた薄肉の取付部および前記取付部から前記内周辺の外方に向けて突出する薄板状の係止片を有し、前記係止片の先端に段状凹部が形成されている雄側連結部材と、
前記雌側連結部材取付用凹所に取り付けられ、前記連結側短辺側に開口する挿入溝が形成され、その上面には、前記雄側連結部材の係止片が前記挿入溝に挿入されたときに前記段状凹部に嵌り込んで係合する弾性係合片が形成されており、その底面には、前記段状凹部と前記弾性係合片との係合状態を解除するロック解除片が形成されている雌側連結部材とを備え、
一方の枠構成材の前記雄側連結部材の前記係止片を、他方の枠構成材の前記雌側連結部材の前記挿入溝に挿入することによって前記枠構成材同士が互いに連結されていることを特徴とする置敷き畳用枠材。
【請求項２】
前記枠構成材同士を連結する延長用枠構成材をさらに有しており、
前記各延長用枠構成材は、
その上面が、前記置敷き畳と隣接する内周辺側から、対向する外周辺に向かうにしたがって下り傾斜するようなテーパ状に形成されており、
底面には、その長手方向一方端部において、一方の短辺側に開口する雄側連結部材取付用凹所が形成されており、その長手方向他方端部において、他方の短辺側に開口する雌側連結部材取付用凹所が形成されている長尺の枠構成材本体と、
前記係止片が前記一方の短辺の外方に向けて突出するように前記雄側連結部材取付用凹所に取り付けられている前記雄側連結部材と、
前記挿入溝が前記他方の短辺側に開口するように前記雌側連結部材取付用凹所に取り付けられている前記雌側連結部材とを備え、
一方の枠構成材の前記雄側連結部材の前記係止片を、前記延長用枠構成材の前記雌側連結部材の前記挿入溝に挿入するとともに、
前記延長用枠構成材の前記雄側連結部材の前記係止片を、前記他方の枠構成材の前記雌側連結部材の前記挿入溝に挿入することによって前記枠構成材と前記延長用枠構成材とが互いに連結されていることを特徴とする請求項１に記載の置敷き畳用枠部材。
【発明の詳細な説明】
【技術分野】
【０００１】
本発明は、組立・分解を簡単に行うことができる薄型の置敷き畳用枠部材に関する。
【背景技術】
【０００２】
洋室でも和室と同様のくつろぎを求めたいとの要望に応えるべく、「置敷き畳」と呼ばれる、半畳ほどの大きさの畳縁のない畳をフローリングの上に複数枚敷いて和室のような空間を作り出すことが広く行われている。
【０００３】
置敷き畳は、その底面に滑り止めが設けられているとはいえ、単にフローリングの上に敷かれているだけであるため、置敷き畳の上を移動していると、歩行時の振動や衝撃によって置敷き畳間の位置ずれが生じることがある。
【０００４】
そこで、このような置敷き畳間の位置ずれを防止するために、「置敷き畳用枠部材」と呼ばれる枠部材を用いて置敷き畳を囲繞することが一般に行われている。
【０００５】
ここで、置敷き畳用枠部材の構成について簡単に説明しておくと、置敷き畳用枠部材は、木や合成樹脂などからなる長尺で棒状の枠構成材を複数本用意し、枠構成材の側面同士を連結して枠状に組み上げたものである。
【０００６】
枠構成材同士の連結手段としては、たとえば捻り錠を用いたもの（例えば、特許文献１参照）が知られている。
【先行技術文献】
【特許文献】
【０００７】
【特許文献１】登録実用新案第３０３９４７１号公報（図４）
【発明の概要】
【発明が解決しようとする課題】
【０００８】
枠構成材同士の連結手段として捻り錠を用いた場合は、組立時（解体時）に捻り錠をネジ孔に対して螺進（螺退）させる必要があり、その連結作業に手間がかかるという問題があった。
【０００９】
また、置敷き畳はフローリングの上に直接敷いて使用されるものであるため、利用者がその角で蹴躓くことがないよう、その層厚が３〜７ｍｍと薄く設定された薄型のものが好まれるが、このような低い段差でも足腰の弱い人にとっては躓きの原因となる。
【００１０】
そこで、バリアフリー化の観点から、置敷き畳用枠部材（より詳しくは、枠構成材）の上面に置敷き畳と隣接する内周辺側から対向する外周辺に向かって下り傾斜するテーパ加工を施して段差を解消することが行われている。
【００１１】
しかし、連結手段としての捻り錠は、その摘み部分に、指で摘まむことが出来る程度の幅（最低でも１０ｍｍ程度）を必要とするため、薄型の置敷き畳用の置敷き畳用枠部材（枠構成材）に対しては物理的に適用することができないという問題がある。
【００１２】
本発明はかかる問題を解消すべくなされたものであり、その目的は、薄型の置敷き畳にも対応が可能で、しかも、組み立てや解体を簡単に行うことができる置敷き用枠部材を提供することにある。
【課題を解決するための手段】
【００１３】
請求項１に記載した発明は、「４本の枠構成材１２（１２ａ〜１２ｄ）同士を接合することにより矩形枠状に形成され、床面に敷かれた複数枚の置敷き畳Ａの周囲を囲繞する置敷き畳用枠部材１０であって、
各枠構成材１２は、
その上面１４ａが、置敷き畳Ａと隣接する内周辺１４ｂ側から、対向する外周辺１４ｃに向かうにしたがって下り傾斜するようなテーパ状に形成されており、
底面には、その長手方向一方端部において、前記内周辺１４ｂ側に開口する雄側連結部材取付用凹所２０が形成されており、その長手方向他方端部において前記内周辺１４ｂと直交する連結側短辺１４ｄ側に開口する雌側連結部材取付用凹所２２が形成されている長尺の枠構成材本体１４と、
雄側連結部材取付用凹所２０に取り付けられた薄肉の取付部１６ａおよび取付部１６ａから内周辺１４ｂの外方に向けて突出する薄板状の係止片１６ｂを有し、係止片１６ｂの先端に段状凹部２６が形成されている雄側連結部材１６と、
雌側連結部材取付用凹所２２に取り付けられ、連結側短辺１４ｄ側に開口する挿入溝２８が形成され、その上面には、雄側連結部材１６の係止片１６ｂが挿入溝２８に挿入されたときに段状凹部２６に嵌り込んで係合する弾性係合片３２が形成されており、その底面には、段状凹部２６と弾性係合片３２との係合状態を解除するロック解除片３０が形成されている雌側連結部材１８とを備え、
一方の枠構成材１２ａの雄側連結部材１６の係止片１６ｂを、他方の枠構成材１２ｂの雌側連結部材１８の挿入溝２８に挿入することによって枠構成材１２同士が互いに連結されている」ことを特徴とする置敷き畳用枠部材１０Ａである。
【００１４】
請求項２に記載した発明は、「枠構成材１２同士を連結する延長用枠構成材４２をさらに有しており、
各延長用枠構成材４２は、
その上面４４ａが、置敷き畳Ａと隣接する内周辺４４ｂ側から、対向する外周辺４４ｃに向かうにしたがって下り傾斜するようなテーパ状に形成されており、
底面には、その長手方向一方端部において、一方の短辺４２ｄ側に開口する雄側連結部材取付用凹所４６が形成されており、その長手方向他方端部において、他方の短辺４２ｅ側に開口する雌側連結部材取付用凹所４８が形成されている長尺の枠構成材本体４４と、
係止片１６ｂ’が一方の短辺４２ｄの外方に向けて突出するように雄側連結部材取付用凹所４６に取り付けられている雄側連結部材１６’と、
挿入溝２８’が他方の短辺４２ｅ側に開口するように雌側連結部材取付用凹所４８に取り付けられている雌側連結部材１８’とを備え、
一方の枠構成材１２ａの雄側連結部材１６の係止片１６ｂを、延長用枠構成材４２の雌側連結部材１８’の挿入溝２８’に挿入するとともに、
延長用枠構成材４２の雄側連結部材１６’の係止片１６ｂ’を、他方の枠構成材１２ｂの雌側連結部材１８の挿入溝２８に挿入することによって枠構成材１２と延長用枠構成材４２とが互いに連結されている」ことを特徴とする置敷き畳用枠部材４０である。
【発明の効果】
【００１５】
請求項１に記載の発明によれば、枠構成材１２同士を連結する際には、一方の枠構成材１２ａにおける雄側連結部材１６の係合突部３２ａを、他方の枠構成材１２ｂにおける雌側連結部材１８の挿入溝２８に挿入するという簡単な操作で枠構成材１２同士の連結を行うことができる。一方、連結されていた枠構成材１２同士を分解する際は、他方の枠構成材１２ｂにおける雌側連結部材１８のロック解除片３０を押し上げて段状凹部２６と係合突部３２ａとの係合状態を解除する。そして、他方の枠構成材１２ｂの雌側連結部材１８の挿入溝２８から一方の枠構成材１２ａの雄側連結部材１６の係止片１６ｂを引き抜けば、連結されていた２本の枠構成材１２ａ，１２ｂを簡単に分解できる。このように、本実施例の置敷き畳用枠部材１０によれば、これを構成している枠構成材１２同士の連結ならびに分解作業を非常に簡単に行うことができる。
【００１６】
また、連結手段を構成している雄側連結部材１６と雌側連結部材１８は、それぞれ数ミリほどの薄肉状のものとして構成されており、その取り付けに際して従来の捻り錠のような厚みを必要とはしないため、薄型の置敷き畳Ａ用の置敷き畳用枠部材１０を提供することが可能となる。
【００１７】
請求項２に記載の置敷き畳用枠部材４０によれば、延長用枠構成材４２を併用することにより、置敷き畳Ａを長方形状に敷設した場合にも対応することができるようになる。
【図面の簡単な説明】
【００１８】
【図１】この発明の一実施例の置敷き畳用枠部材を示す平面図である。
【図２】図１におけるＸ−Ｘ’断面図である。
【図３】枠構成材を示す底面図である。
【図４】置敷き畳用枠部材を組み立てる様子を示す図である。
【図５】枠構成材同士を連結する様子を示す図である。
【図６】連結部材を示す図である。
【図７】図６におけるＹ−Ｙ’断面図である。
【図８】図６におけるＺ−Ｚ’断面図である。
【図９】延長用枠構成材を用いた実施例を示す図である。
【図１０】延長用枠構成材を示す底面図である。
【発明を実施するための形態】
【００１９】
以下、本発明を図面に従って説明する。図１は、本発明にかかる第１実施例の置敷き畳用枠部材１０を示す平面図である。
【００２０】
この図が示すように、置敷き畳用枠部材１０は、床面に敷かれた複数枚（本実施例では４枚）の置敷き畳Ａを囲繞して置敷き畳Ａ間の位置ずれを防止するためのもので、４本の枠構成材１２（１２ａ，１２ｂ，１２ｃ，１２ｄ）を互いに連結することにより矩形枠状のものとして構成されている。
【００２１】
各枠構成材１２（１２ａ，１２ｂ，１２ｃ，１２ｄ）は、枠構成材本体１４、雄側連結部材１６および雌側連結部材１８により大略構成されている。
【００２２】
枠構成材本体１４は、中密度繊維板（ＭＤＦ）により形成された長尺の棒状部材で、その上面１４ａは、置敷き畳Ａと隣接する側の長辺である内周辺１４ｂ側から、対向する外周辺１４ｃに向かうにしたがって下り傾斜するようなテーパ状に形成されている（図２参照）。
【００２３】
なお、枠構成材本体１４の材質としては、上述したＭＤＦの他、無垢材、集成材、樹脂材などが用いられ得る。また、各枠構成材本体１４の長さは、本実施例では、これらを連結して矩形枠状の置敷き畳用枠部材１０を構成したときに、縦横２枚ずつ正方形状に敷かれた４枚の置敷き畳Ａの周囲を囲繞できる長さに設定されているが、これに限定されるわけではなく、例えば、縦横３枚ずつ正方形状に敷かれた６枚の置敷き畳Ａの周囲を囲繞できるような長さに設定するなど敷設する置敷き畳Ａの枚数に応じて適宜設定すればよい。
【００２４】
枠構成材本体１４の底面には、その長手方向一方端部（コーナー側端部）において内周辺１４ｂ側に開口する雄側連結部材取付用凹所２０が形成されており、長手方向他方端部（連結側端部）において内周辺１４ｂと直交する連結側短辺１４ｄ側に開口する雌側連結部材取付用凹所２２が形成されている（図３参照）。
【００２５】
そして、この雄側連結部材取付用凹所２０には、後述する雄側連結部材１６が取り付けられており、雌側連結部材取付用凹所２２には、後述する雌側連結部材１８が取り付けられている。
【００２６】
雄側連結部材１６は、取付部１６ａと係止片１６ｂとを有する。
【００２７】
取付部１６ａは、金属などの剛性材料からなる薄肉の板状部分であり、その厚みｘは枠構成材１４の外周辺１４ｃ側の厚みａと同じかやや大きく設定されている（したがって、取付部１６ａが取り付けられる雄側連結部材取付用凹所２０の深さは、取付部１６ａの厚みｘと大略等しくあるいはこれよりもやや深く掘り込まれることになる）。
【００２８】
取付部１６ａには、ネジ固定用の長孔２４が２本所定間隔を隔てて形成されており、この長孔２４に２本のネジＮを捻じ込むことにより、雄側連結部材１６が枠構成材本体１４にネジ固定されている。そして、取付部１６ａからは係止片１６ｂが延設されている。
【００２９】
係止片１６ｂは、取付部１６ａと一体的に形成され、その先端が二股に分かれてＵ字状に形成されている薄肉の板状部分で、このＵ字状の係止片１６ｂが内周辺１４ｂから外方に突出するように設けられている。係止片１６ｂのＵ字状部分の先端には、段状凹部２６がそれぞれ形成されている。
【００３０】
雌側連結部材１８は、合成樹脂などからなる薄板状部材で、その厚みｙは、枠構成材１４の外周辺１４ｃ側の厚みａと同じかやや大きく設定されている（したがって、雌側連結部材１８が取り付けられる雌側連結部材取付用凹所２２の深さは、雌側連結部材１８の厚みｙと大略等しくあるいはこれよりもやや深く掘り込まれることになる）。
【００３１】
雌側連結部材１８における連結側短辺１４ｄ側の端面には、挿入溝２８が形成されており、この挿入溝２８に上述した雄側連結部材１６の係止片１６ｂが挿入される。したがって、係止辺１６ｂは、雌側連結部材１８の厚みｙよりも薄肉にて、挿入溝２８に挿入可能な厚み（大略等しいかあるいはやや薄く）に設定されることとなる。
【００３２】
雌側連結部材１８の下面（枠構成材１２の底面となる側の面）には、挿入溝２８と連通するＵ字状の下側スリット１８ａが形成されており、このＵ字状の下側スリット１８ａによって囲まれた部分がロック解除片３０である。ロック解除片３０は、これを押し上げたときに、後述する弾性係合片３２と当接する位置に形成されている。
【００３３】
雌側連結部材１８の上面には、挿入溝２８と連通する大小２つのＵ字状の上側スリット１８ｂ，１８ｃ（大径上側スリット１８ｂ，小径上側スリット１８ｃが形成されており、この大小２つの上側スリット１８ｂ，１８ｃで囲まれたＵ字状部分が弾性係合片３２である。
【００３４】
弾性係合片３２は、挿入溝２８に挿入された雄側連結部材１６が挿入溝２８から脱け落ちるのを防止するためのもので、その内側面（挿入溝２８と面する側の面）に雄側連結部材１６の係止片１６ｂの段状凹部２６にはまり込んで係合する係合突部３２ａが形成されている。
【００３５】
なお、雄側連結部材１６と雌側連結部材１８とが、枠構成材１２同士を連結するための「連結手段」として機能することとなり、このような連結手段として、本実施例では、ＹＫＫ株式会社製の薄型バックル（商品名：ＺＢ２５Ｔ、実公平７−８５）が使用されている。
【００３６】
以上のように構成されている枠構成材１２を用いて置敷き畳用枠部材１０を形成する際には、まず、床面に敷かれた置敷き畳Ａ（本実施例では４枚の置敷き畳Ａが縦２列、横２列にて正方形状に配列されている）の周囲に４本の枠構成材１２（１２ａ〜１２ｄ）を配置する（図４参照）。
【００３７】
そして、一の枠構成材１２ａの雄側連結部材１６の係止片１６ｂを、隣接する枠構成材１２ｂの雌側連結部材１８の挿入溝２８に挿入する（図５参照）。係止片１６ｂを挿入溝２８の奥まで挿入すると、弾性係合片３２の係合突部３２ａが段状凹部２６に嵌り込み、これにより、雄側連結部材１６の引き抜き方向（挿入溝２８から離脱するする方向）への移動が規制される（図６〜図８参照）。
【００３８】
この作業を、他の枠構成材１２（１２ｂ〜１２ｄ）についても同様に行うことにより、矩形枠状の置敷き畳用枠部材１０が完成し、置敷き畳Ａの周囲が置敷き畳用枠部材１０によって囲繞されることになる。
【００３９】
雄側連結部材１６と雌側連結部材１８とが連結された状態では、上述したように、係合突部３２ａが段状凹部２６にはまり込んで雄側連結部材１６の引き抜き方向への移動が規制され、これにより抜け止め効果を得ることができる。
【００４０】
一方、置敷き畳用枠部材１０を分解する必要に迫られた際は、置敷き畳用枠部材１０を持ち上げ、指で雌側連結部材１８のロック解除片３０を押し上げる。すると、ロック解除片３０が弾性係合片３２を上方へ押し上げ（図８）、それまで段状凹部２６に嵌りこんでいた係合突部３２ａが段状凹部２６から離脱する。これにより、係合突部３２ａと段状凹部２６との係合状態が解除されて、雄側連結部材１６を雌側連結部材１８から引き抜くことができる。そして、上記の操作を全ての連結部において行うことにより置敷き畳用枠部材１０を簡単に分解することができる。
【００４１】
以上述べてきたように、本実施例の置敷き畳用枠部材１０によれば、枠構成材１２同士を連結する際には、一方の枠構成材１２ａにおける雄側連結部材１６の係合突部３２ａを、他方の枠構成材１２ｂにおける雌側連結部材１８の挿入溝２８に挿入するという簡単な操作で枠構成材１２同士の連結を行うことができる。
【００４２】
一方、連結されていた枠構成材１２同士を分解する際は、他方の枠構成材１２ｂにおける雌側連結部材１８のロック解除片３０を押し上げて段状凹部２６と係合突部３２ａとの係合状態を解除する。そして、他方の枠構成材１２ｂの雌側連結部材１８の挿入溝２８から一方の枠構成材１２ａの雄側連結部材１６の係止片１６ｂを引き抜けば、連結されていた２本の枠構成材１２ａ，１２ｂを簡単に分解できる。
【００４３】
このように、本実施例の置敷き畳用枠部材１０によれば、これを構成している枠構成材１２同士の連結ならびに分解作業を非常に簡単に行うことができる。
【００４４】
また、連結手段を構成している雄側連結部材１６と雌側連結部材１８は、それぞれ数ミリほどの薄肉状のものとして構成されており、その取り付けに際して従来の捻り錠のような厚みを必要とはしないため、薄型の置敷き畳Ａ用の置敷き畳用枠部材１０を提供することが可能となる。
【００４５】
なお、上述の実施例では、枠構成材１２だけで置敷き畳用枠部材１０を組み立てるようにしたが、置敷き畳Ａの敷設枚数によっては枠構成材１２だけでは長さが不足して対応することができない場合がある。そこで、このような場合には、例えば図９に示す第２実施例の置敷き畳用枠部材４０のように、枠構成材１２に加えて延長用枠構成材４２を併用することで対応することができる。
【００４６】
第２実施例の置敷き畳用枠部材４０は、４本の枠構成材１２と、複数本（本実施例では２本）の延長用枠構成材４２を互いに連結することにより長方形の枠状体として構成されている。
【００４７】
各延長用枠構成材４２は、枠構成材本体４４、雄側連結部材１６’および雌側連結部材１８’により大略構成されている。なお、雄側連結部材１６’と雌側連結部材１８’は、それぞれ上述実施例の雄側連結部材１６と雌側連結部材１８と同一のものであるが、枠構成材１２において使用されているものと区別をするために参照番号にダッシュ（’）を付したものである。
【００４８】
延長用枠構成材本体４４は、長尺の棒状部材で、その上面４４ａには、置敷き畳Ａと隣接する側の内周辺４４ｂ側から、対向する外周辺４４ｃに向かうにしたがって下り傾斜するテーパ面が、枠構成材本体１４の上面１４ａに合わせて形成されている。
【００４９】
延長用枠構成材本体４４の材質としては、枠構成材本体１４と同素材のものが選択され、本実施例では枠構成材本体１４に合わせて中密度繊維板（ＭＤＦ）が選択されている。
【００５０】
延長用枠構成材本体４４の長さは、本実施例では、各置敷き畳Ａの一辺と同じ長さに設定されているが、たとえば置敷き畳Ａを２枚並べたときの長さにするなど、置敷き畳Ａの一辺の整数倍に設定してもよく、その長さを適宜設定することが可能である。
【００５１】
延長用枠構成材４２の底面には、その長手方向一方端部において一方の短辺４２ｄ側に開口する雄側連結部材取付用凹所４６が形成されており、その長手方向他方端部において他方の短辺４２ｅ側に開口する雌側連結部材取付用凹所４８が形成されている。
【００５２】
そして、この雄側連結部材取付用凹所４６に上述した雄側連結部材１６’が取り付けられ、雌側連結部材取付用凹所４８に雌側連結部材１８’が取り付けられている。
【００５３】
なお、雄側連結部材取付用凹所４６への雄側連結部材１６’の取り付けは、取付部１６ａ’の長孔２４’にネジＮを捻じ込むことによって行われており、この取付部１６ａ’からは、係止片１６ｂ’が一方の短辺４２ｄ’から外方に突出するように設けられている。また、雌側連結部材１８’は、挿入溝２８’が他方の短辺４２ｅ側に開口するように雌側連結部材取付用凹所４８に取り付けられている。
【００５４】
本実施例の置敷き畳用枠部材４０においては、一方の枠構成材１２ａの雄側連結部材１６の係止片１６ｂを、一の延長用枠構成材４２の雌側連結部材１８’の挿入溝２８’に挿入する。これにより、一方の枠構成材１２ａと延長用枠構成材４２とが互いに連結される。
【００５５】
また、当該延長用枠構成材４２の雄側連結部材１６’の係止片１６ｂ’を、他方の枠構成材１２ｂの雌側連結部材１８の挿入溝２８に挿入する。これにより、延長用枠構成材４２と他方の枠構成材１２ｂとが互いに連結される。
【００５６】
このように、本実施例では、枠構成材１２に加えて延長用枠構成材４２を併用して枠構成材１２と延長用枠構成材４２とを連結することにより、置敷き畳Ａを長方形状に敷設した場合にも対応することが可能となる。
【符号の説明】
【００５７】
１０，４０：置敷き畳用枠部材、１２：枠構成材、１４：枠構成材本体、１４ａ：上面、１４ｂ：内周辺、１４ｃ：外周辺、１４ｄ：連結側短辺、１６，１６’：雄側連結部材、１６ａ，１６ａ’：取付部、１６ｂ，１６ｂ’：係止片、１８，１８’：雌側連結部材、１８ａ：下側スリット、１８ｂ：大径上側スリット、１８ｃ：小径上側スリット、２０：雄側連結部材取付用凹所、２２：雌側連結部材取付用凹所、２４：長孔、２６：段状凹部、２８：挿入溝、３０：ロック解除片、３２：弾性係合片、３２ａ：係合突部、４２：延長用枠構成材、４４：延長用枠構成材本体、４４ａ：上面、４４ｂ：内周辺、４４ｃ：外周辺、４４ｄ：一方の短辺、４４ｅ：他方の短辺、４６：雄側連結部材取付用凹所、４８：雌側連結部材取付用凹所、Ａ：置敷き畳、Ｎ：ネジ、ａ：枠構成材の外周辺側の厚み、ｘ：雄側連結部材の取付部の厚み、ｙ：雌側連結部材の厚み
【図１】
2018025009.tif 000003
【図２】
2018025009.tif 000004
【図３】
2018025009.tif 000005
【図４】
2018025009.tif 000006
【図５】
2018025009.tif 000007
【図６】
2018025009.tif 000008
【図７】
2018025009.tif 000009
【図８】
2018025009.tif 000010
【図９】
2018025009.tif 000011
【図１０】
2018025009.tif 000012